(57)【特許請求の範囲】
【請求項１】
表地と裏地とを備え、前記表地と前記裏地との間であって、乳幼児の膝、尻および肘の各々を覆う各部分の少なくとも１つの位置に、衝撃吸収用パッドが設けられ、前記衝撃吸収用パッドが設けられた各部分には、前記表地に現れる縫目模様が施され、前記衝撃吸収用パッドは、前記縫目模様を構成する糸によって前記表地に縫い付けられ、前記縫目模様を構成する糸は、前記裏地には縫い付けられない、乳幼児用衣服。
【請求項２】
前記縫目模様は、同心の複数の円または長円を表現する、請求項１に記載の乳幼児用衣服。
【発明の詳細な説明】
【０００１】
【発明の属する技術分野】
この発明は、乳幼児用衣服に関するもので、特に、衝撃吸収用パッドが取り付けられた乳幼児用衣服に関するものである。
【０００２】
【従来の技術】
乳幼児用衣服において、たとえば、エルボーパッドのような補強用パッドが、縫い付けまたは感熱接着剤によって、乳幼児の膝、尻または肘のような出っ張る部分に張り付けることが行なわれている。
【０００３】
このような補強用パッドは、通常、乳幼児用衣服の表側に張り付けられ、それによって、衣服本来の布地の磨耗防止のための補強といった実用的効果を発揮させるとともに、デザイン上の強調部分を与えるといった装飾的効果をも発揮させるようにしている。
【０００４】
【発明が解決しようとする課題】
しかしながら、上述のように、乳幼児用衣服の表側に張り付けられるエルボーパッドのような補強用パッドは、デザイン上、強調されすぎて、違和感を抱く者も少なくない。
【０００５】
そこで、この発明の目的は、上述のような補強用パッドのようにデザイン上の強調が過度にならないように配慮された、乳幼児用衣服を提供しようとすることである。
【０００６】
【課題を解決するための手段】
この発明は、表地と裏地とを備え、乳幼児の膝、尻および肘の各々を覆う各部分の少なくとも１つの位置に、衝撃吸収用パッドが設けられた、乳幼児用衣服に向けられるものであって、上述した技術的課題を解決するため、衝撃吸収用パッドが表地と裏地との間に配置され、この衝撃吸収用パッドが設けられた各部分には、表地に現れる縫目模様が施され、衝撃吸収用パッドは、縫目模様を構成する糸によって表地に縫い付けられ、この縫目模様を構成する糸は、裏地には縫い付けられないことを特徴としている。
【０００７】
上述した縫目模様によって、任意の形態を表現することができるが、たとえば、同心の複数の円または長円を表現することができる。
【００１２】
【発明の実施の形態】
図１ないし図３は、この発明の一実施形態による乳幼児用衣服１を説明するためのものである。ここで、図１は、乳幼児用衣服１を前方から示す図であり、図２は、乳幼児用衣服１を後方から示す図であり、図３は、乳幼児用衣服１の一部を破断しながら拡大して示す図である。
【００１３】
乳幼児用衣服１は、たとえば１歳前後の乳幼児が着用するもので、オーバーオール２とシャツ３とから構成されている。図１および図２では、これらオーバーオール２とシャツ３とが重ね合わせた状態で図示されている。
【００１４】
このような乳幼児用衣服１において、これを着用する乳幼児の膝、尻および肘の各々を覆う各部分には、表側に現れる縫目模様４、５および６がそれぞれ施されている。これら縫目模様４〜６は、この実施形態では、同心の複数の円ないしは長円を表現している。
【００１５】
このような縫目模様４〜６が施されている部分には、衝撃吸収用パッドが設けられている。衝撃吸収用パッドは、たとえば、連続気泡構造（スポンジ状）を持つシリコン特殊ゲルから構成される。これら衝撃吸収用パッドは、表側に現れない位置に設けられており、そのため、図１および図２では、図示されていないが、図３には、乳幼児の膝を覆う部分に施された縫目模様４に関連して設けられる衝撃吸収用パッド７が図示されている。
【００１６】
図３を参照して、乳幼児用衣服１を構成するオーバーオール２は、表地８と裏地９とを備え、これら表地８と裏地９との間に、衝撃吸収用パッド７が配置される。衝撃吸収用パッド７は、たとえば長円形をなしていて、前述したように同心の複数の長円を表現する縫目模様４を構成する糸１０によって表地８に縫い付けられている。したがって、縫目模様４は、表地８に現れる。また、この縫目模様４を構成する糸１０は、明確には図示されないが、裏地９には縫い付けられない。
【００１７】
図示しないが、乳幼児の尻を覆う部分に施された縫目模様５に関連して設けられる衝撃吸収用パッドについても、上述した膝の部分の衝撃吸収用パッド７の場合と同様、表地８と裏地９との間に配置され、縫目模様５を構成する糸１１によって、表地８に縫い付けられる。
【００１８】
また、乳幼児の肘を覆う部分に施される縫目模様６およびこれに関連して設けられる衝撃吸収用パッド（図示せず。）については、乳幼児用衣服１を構成するシャツ３側に位置される。この実施形態では、シャツ３は、表地のみから構成され、裏地を備えていない。そのため、乳幼児の肘を覆う部分に設けられる衝撃吸収用パッドは、表地の裏側に配置され、かつ、縫目模様６を構成する糸１２によって表地に縫い付けられる。
【００１９】
以上のように、図１ないし図３を参照して説明した実施形態によれば、乳幼児の膝、尻および肘といった出っ張る部分において、図示した衝撃吸収用パッド７を含む衝撃吸収用パッドが設けられているので、それによる衝撃吸収といった実用的効果を発揮させることができる。
【００２０】
また、これら衝撃吸収用パッドは、表側に現れない位置に設けられ、これら衝撃吸収用パッドが設けられた各部分には、表側に現れる縫目模様４〜６が施されているので、これら縫目模様４〜６は、衝撃吸収用パッドを設けた位置の目印を与えるとともに、デザイン上の適度な強調を与えることができる。
【００２７】
以上、この発明を図示した実施形態に関連して説明したが、この発明の範囲内において、その他、種々の変形例が可能である。
【００２９】
図示した乳幼児用衣服１は、一例にすぎない。そのため、この発明が適用される乳幼児用衣服の種類によっては、乳幼児の膝を覆う部分を備えないものや、尻を覆う部分を備えないものや、肘を覆う部分を備えないものもあり得る。このことから、乳幼児の膝、尻および肘の各々を覆う各部分の少なくとも１つを備える乳幼児用衣服でさえあれば、この発明を適用することが可能であると言うことができる。
【００３０】
また、乳幼児用衣服が、乳幼児の膝、尻および肘の各々を覆う各部分をすべて備えているが、衝撃吸収用パッドがこれらすべての部分に設けられない場合も、この発明の範囲内の実施態様であると理解すべきである。
【００３１】
【発明の効果】
以上のように、この発明によれば、表地と裏地との間であって、乳幼児の膝、尻および肘の各々を覆う各部分の少なくとも１つの位置に、衝撃吸収用パッドが設けられ、この衝撃吸収用パッドが設けられた各部分には、表地に現れる縫目模様が施されているので、乳幼児の膝、尻および肘のような出っ張った部分での衝撃吸収といった実用的効果を衝撃吸収用パッドによって発揮させることができるとともに、縫目模様によって、衝撃吸収用パッドが設けられた位置の目印を与えながら、デザイン上、過度の強調が抑制された装飾的効果を適度に与えることができる。
【００３２】
この発明において、同心の複数の円または長円を表現する縫目模様が採用されると、縫目模様が角張った部分を有しないので、柔和な感じを与えることができるとともに、衝撃吸収用パッドの形状を、無理なく、これに相似する円形または長円形にすることができる。衝撃吸収用パッドが円形または長円形にされると、衝撃吸収用パッドの周囲に角が存在しないので、これが乳幼児用衣服に取り付けられたとき、その収まりを良好なものとすることができる。
【００３３】
また、この発明に係る乳幼児用衣服によれば、衝撃吸収用パッドが、表地と裏地との間に配置されるので、衝撃吸収用パッドによる段差が、表地側だけでなく、裏地側においても生じることが防止される。したがって、衝撃吸収用パッドによる段差が表地側に生じた場合に引き起こされることのある、外部の突起物が衝撃吸収用パッドに引っ掛かる問題は回避され、乳幼児用衣服をより安全なものとすることができる。また、衝撃吸収用パッドによる段差が裏地側に生じた場合に引き起こされることのある、着心地の悪さの問題も回避することができる。
【００３４】
また、この発明に係る乳幼児用衣服によれば、衝撃吸収用パッドが、縫目模様を構成する糸によって表地に縫い付けられるので、この縫目模様を構成する糸によって衝撃吸収用パッドを固定することが可能となり、この糸に対して、装飾的機能に加えて、実用的機能を与えることができる。
【００３５】
また、この発明に係る乳幼児用衣服によれば、縫目模様を構成する糸が、裏地には縫い付けられないようにされるので、このような糸によって、裏地の平滑性が阻害されることを防止することができる。
【図面の簡単な説明】
【図１】この発明の一実施形態による乳幼児用衣服１を前方から示す図である。
【図２】図１に示した乳幼児用衣服１を後方から示す図である。
【図３】図１に示した乳幼児用衣服１の一部を破断しながら拡大して示す図である。
【符号の説明】
１  乳幼児用衣服
４，５，６  縫目模様
７  衝撃吸収用パッド
８  表地
９  裏地
１０〜１２  糸
【図１】
0003609695.tif 000002
【図２】
0003609695.tif 000003
【図３】
0003609695.tif 000004